(57)【特許請求の範囲】
【請求項１】
無線電話親機と、内線通話が可能な無線電話子機を複数収容する無線電話装置であって、
無線電話親機において、
ＴＤＭＡ方式を用いて無線通信する機能を有する無線インタフェース部と、
外線とのインタフェースをとる外線インタフェース部と、
ＴＤＭＡ方式の各スロット毎の使用方法の管理を行うスロット管理部とを有し、
一つの無線電話子機において、
ＴＤＭＡ方式を用いて無線通信する機能を有する無線インタフェース部と、
時分割で入力ディジタル信号を出力ディジタル信号に切り替える通話路スイッチと、
通話のための音声入力手段であるマイクおよび音声出力手段であるスピーカと、
ＴＤＭＡ方式の各スロット毎の使用方法の管理と各スロット毎に通話相手のスロット番号を記憶するスロット−相手管理部とを有し、
他の無線電話子機との間で子機間通話が設定されている状態で前記他の無線電話子機より外線番号および外線発呼を依頼する通知が来ると、当該無線電話子機は無線電話親機へ当該外線番号および発呼メッセージを送り、
そのメッセージに従って無線電話親機は外線発呼処理を行い、外線より応答を受けると外線通話用のスロット番号を含むメッセージを当該無線電話子機へ送り、
当該無線電話子機は無線電話親機より外線応答および外線通話用のスロット番号を含むメッセージを受信すると、前記スロット−相手管理部において前記外線通話用スロット番号に対応する通信相手のスロット番号として当該無線電話子機と前記他の無線電話子機との子機間通話で使用しているスロット番号を設定し、
前記通話路スイッチを前記スロット−相手管理部に従って切換えることにより前記他の無線電話子機と無線電話親機との間の通話路を形成することを特徴とする無線電話装置。
【請求項２】
当該無線電話子機は無線電話親機より外線通話用スロット番号を含むメッセージを受信すると、前記スロット−相手管理部において、無線電話親機から送られてきた外線通話用スロット番号についての使用方法として外線通話と記入し、
当該外線通話用スロット番号に対応する相手スロット番号の欄に前記他の無線電話子機との子機間通話で使用しているスロット番号を記入し、
前記他の無線電話子機との子機間通話で使用しているスロット番号に対応する相手スロット番号の欄に無線電話親機から送られてきた外線通話用スロット番号を記入することを特徴とする請求項１記載の無線電話装置。
【請求項３】
無線電話親機と、内線通話が可能な無線電話子機を複数収容する無線電話装置であって、
無線電話親機において、
通話チャネルと制御チャネルのディジタル信号をＴＤＭＡ方式を用いて無線通信する機能を有する無線インタフェース部と、
ＴＤＭＡ方式の各送信スロットに乗せるデータを記憶し、無線インタフェース部への入力とする送信用バッファと、
無線インタフェース部からの出力を記憶する受信用バッファと、
外線とのインタフェースをとる外線インタフェース部と、
ＴＤＭＡ方式の各スロット毎の使用方法の管理を行うスロット管理部と、
これらを管理する制御部とを有し、
一つの無線電話子機において、
通話チャネルと制御チャネルのディジタル信号をＴＤＭＡ方式を用いて無線通信する機能を有する無線インタフェース部と、
ＴＤＭＡ方式の各送信スロットに乗せるデータを記憶し、無線インタフェース部への入力とする送信用バッファと、
無線インタフェース部からの出力を記憶する受信用バッファと、
時分割で入力ディジタル信号を出力ディジタル信号に切り替える通話路スイッチと、
ディジタル／アナログ変換，アナログ／ディジタル変換を行うＣＯＤＥＣと、
通話のための音声入力手段であるマイクおよび音声出力手段であるスピーカと、
通話相手の選択等の各種操作を行うための操作手段と、
ＴＤＭＡ方式の各スロット毎の使用方法の管理と各スロット毎に通話相手のスロット番号を記憶するスロット−相手管理部と、
これらを管理する制御部とを有し、
他の無線電話子機との間で子機間通話が設定されている状態で前記他の無線電話子機より外線番号および外線発呼を依頼する通知が来ると、当該無線電話子機の制御部は、前記無線インタフェース部を介して外線番号を含む発呼メッセージを無線電話親機に制御チャネルを用いて送信し、
無線電話親機の制御部は無線電話子機より外線番号を含む発呼メッセージを受信すると外線発呼処理を行い、
外線より応答を受けると外線通話用のスロット番号を含む応答メッセージを無線電話子機に送信するとともに親機内のスロット管理部の無線電話子機間で使用することになるスロット番号に対する欄に子機間通話の情報を書き込み、
当該無線電話子機の制御部は、無線電話親機より外線応答および外線通話用のスロット番号を含むメッセージを受信すると通知された外線通話用スロット番号に対応する前記スロット−相手管理部の使用方法の欄に外線通話と記入し、そのスロット上で同期メッセージを無線電話親機に送信し、
前記スロット−相手管理部の外線通話と記入したスロット番号に対応する相手スロット番号の欄には子機間通話で使用するための他のスロット番号を記入するとともに、当該他のスロット番号に対応する相手スロット番号の欄には前記外線通話用スロット番号を記入し、
当該無線電話子機より発呼元無線電話子機へ外線発呼応答を制御チャネル上で通知し、
当該無線電話子機の前記通話路スイッチによってスロット−相手管理部のスロット番号に対応する送信用バッファには相手スロット番号に対応する受信用バッファを接続し、スロット−相手管理部のスロット番号に対応する受信用バッファには相手スロット番号に対応する送信用バッファを接続することを特徴とする無線電話装置。
【発明の詳細な説明】
【０００１】
【発明の属する技術分野】
本発明は、通話中の子機がゾーン外に移動したとき、ゾーン内の子機を中継して通話する無線電話装置に関するものである。
【０００２】
【従来の技術】
近年、無線電話装置の発展は目覚ましいものがあり、無線電話親機に対し、複数の無線電話子機が使用可能であったり、携帯電話のように移動しながらも電話をかけるサービスも提供されている。また、一般オフィスや工場などの事業所内では、部屋から部屋へ、建物から建物へ持ち歩くことができる無線電話装置システムが構内交換機に接続された形で検討されている。
【０００３】
図１６は従来の無線電話装置の構成例を示すブロック図である。図１６において、１０１は無線電話装置に収容される第１の子機、１０２は第１の子機１０１の主制御を行うマイクロプロセッサ等により構成される子機制御手段、１０３は、音声データおよび制御データの変復調を行い、後述する第２の子機１１２とのデータの通信を行う子機通信手段、１０４は、音声データおよび制御データの変復調を行い、後述する第１の接続装置１１３とのデータの通信を行う接続装置通信手段、１０５は電話番号入力のためのプッシュボタンやその他の機能を有するボタンおよびスイッチ等で構成される操作手段、１０６は、内線発呼を行った際、発呼側子機内の前記子機通信手段１０３により受信される被呼側子機からの受信データの通信エラーレートの検出を行うエラーレート検出手段、１０７は、内線発呼を行った際、被呼側子機からの応答時間を管理するタイマ管理手段、１０８は無線電話装置に収容されるすべての子機およびすべての接続装置の識別コードを記憶する識別コード記憶手段（ここでは、説明を簡易化するために、子機に与えられている識別コードと内線番号とは同一のものとする）、１０９は操作手段１０５から入力された呼び出し先の内線番号を一時記憶する呼出先内線番号一時記憶手段、１１０は受信音声手段および送信音声信号を処理する音声インタフェース手段、１１１は後述する第２の子機１１２および第１の接続装置１１３と電波の送受信を行うアンテナ、１１２は第１の子機１０１と同様の構成をとる第２の子機、１１３は、内線通話および外線通話の際、無線部において子機とのインタフェースをとる第１の接続装置、１１４は第１の接続装置１１３と同様の構成をとる第２の接続装置、１１５は無線電話装置において呼制御，通話路の接続／開放等の制御をつかさどる制御装置、１１６は制御装置１１５の制御を行うマイクロプロセッサ等により構成される主制御手段、１１７は、内線通話および外線通話の際、通話路の接続／開放を行う通話路スイッチ、１１８は制御データおよび音声データの多重／分離等を行い、第１の接続装置１１３および第２の接続装置１１４とのインタフェースをとる接続装置インタフェース手段である。
【０００４】
ここで無線電話装置において、すべての子機およびすべての接続装置には識別コード（以下、ＩＤコードという）があり、本従来例においては、第１の子機１０１には“００１”、第２の子機１１２には“００２”、第１の接続装置１１３には“００３”、第２の接続装置１１４には“００４”というＩＤコードが与えられているものとする。そして、第１の子機１０１は第１の接続装置１１３と電波の送受信が行えるゾーンに位置し、第２の子機１１２は第２の接続装置１１４と電波の送受信が行えるゾーンに位置しているものとする。
【０００５】
以上のように構成された無線電話装置について、以下、第１の子機１０１から第２の子機１１２に対して内線電話を行う場合についての説明を図１６および図１７を参照して行う。まず、発呼者は内線発呼を行うために、第１の子機１０１内の操作手段１０５に備えられた内線キー（図示せず）を押下する（Ｓ１０１）。そのとき、子機制御手段１０２は内線キーが押下されることにより子機通信手段１０３を起動状態にし、接続装置通信手段１０４を非起動状態にする（Ｓ１０２）。次に、発呼者は被呼側である第２の子機１１２の内線番号“００２”を押下する（Ｓ１０３）。そのとき、押下された内線番号情報が呼出先内線番号一時記憶手段１０９に一時記憶される（Ｓ１０４）。次に、内線番号を含む発呼データを送信するための発呼キー（図示せず）を押下する（Ｓ１０５）。発呼キーが押下させることにより、前記内線番号情報を含む発呼信号が子機通信手段１０３から制御チャネルへ発信される（Ｓ１０６）。このとき、発呼信号が発信されると同時に、応答信号のエラーレートを検出するエラーレート検出手段１０６と、タイマ管理手段１０７が起動する（Ｓ１０７）。このとき第１の子機１０１と第２の子機１１２が電波の強度において十分通信できる範囲内に位置している場合、第２の子機１１２から正常な応答信号が返ってくるので（Ｓ１０８，Ｓ１０９）、直接子機どうしの内線通話が可能であると判断し、有線部の通話路を使用しない子機どうしの通話ができる（Ｓ１１０）。
【０００６】
しかし、第１の子機１０１と第２の子機１１２が電波の強度において、十分通信できる範囲内に位置しておらず、応答信号が規定時間内に返ってこない場合（Ｓ１０８のＮＯ）、タイマ管理手段１０７によってタイムアウトが発生し（Ｓ１１１）、子機制御手段１０２は子機通信手段１０３から接続装置通信手段１０４へと発呼信号の発信切り替えをすることで（Ｓ１１２）、有線部の通話路を使用した通話経路による内線発呼に切り替えられる。また、応答信号が返ってきても電波の強度が弱く、ノイズ等の原因でエラーレート検出手段１０６により規定値以上のエラーレートが検出された場合（Ｓ１０９のＹＥＳ）も同時に、子機制御手段１０２は子機通信手段１０３から接続装置通信手段１０４へと発呼信号の発信切り替えをすることで（Ｓ１１２）、有線部の通話路を使用した通話経路による内線発呼に切り替えられる。子機制御手段１０２により起動状態となった接続装置通信手段１０４は、新たにＩＤコードを含む発呼信号を第１の接続装置１１３に対して送出する（Ｓ１１３）。発呼信号を受信した第１の接続装置１１３はＩＤコードを確認し、第１の子機１０１に対しＩＤコードを含んだ応答信号を返送する。この後、第１の子機１０１は空き通話チャネルを捕捉した後（Ｓ１１４）、前記呼出先内線番号一時記憶手段１０９に記憶されている被呼側である第２の子機１１２のダイヤル情報を送出する（Ｓ１１５）。その後、制御装置１１５内の主制御手段１１６は通話路スイッチ１１７の接続を行うことによって通話路が形成され、有線部を介した通話経路での通話が可能となる（Ｓ１１６）。
【０００７】
また、図１８はＴＤＭＡ（ｔｉｍｅ  ｄｉｖｉｓｉｏｎ  ｍｕｌｔｉｐｌｅ  ａｃｃｅｓｓ）方式の無線通話システムにおけるスロットの構成例を示すものである。ＴＤＭＡ方式は、図１８に示すように制御用チャネル，通話用チャネルのデータを時分割・多重化された送受信のスロットに乗せて、データの送受信および通話を行うものである。図１８は４チャネル多重の場合の例を示している。また、図１９は従来例の無線電話親機の構成（４チャネル多重の場合）を、図２０は従来例の無線電話子機の構成（４チャネル多重の場合）である。
【０００８】
上記従来例の無線電話装置における内線発信および外線発信の方法を図１９，図２０について、以下に述べる。図１９において、１３０は無線電話親機であり、１３１は無線信号を空気中へ送信したり空気中から受信する機能を有するアンテナ、１３２は、ＴＤＭＡ方式を用いて通話チャネルと制御チャネルのディジタル信号を無線信号へ変換したり、逆に無線信号をディジタル信号に変換する機能を有する無線インタフェース部、１３３は、ＴＤＭＡ方式の各送信スロットに乗せるデータを記憶し、無線インタフェース部１３２への入力となる送信用バッファ、１３４は無線インタフェース部１３２からの出力を記憶する受信用バッファ、１３５はディジタル／アナログ変換，アナログ／ディジタル変換を行うＣＯＤＥＣ、１３６は外線とのインタフェースをとる外線インタフェース部、１３７は外線、１３８はＴＤＭＡ方式のスロット管理を行うスロット管理部、１３９はこれらを管理する制御部である。
【０００９】
図２０において、１４０は無線電話子機、１４１は無線信号を空気中へ送信したり空気中から受信する機能を有するアンテナ、１４２は、ＴＤＭＡ方式を用いて通話チャネルと制御チャネルのディジタル信号を無線信号へ変換したり、逆に無線信号をディジタル信号に変換する機能を有する無線インタフェース部、１４３は、ＴＤＭＡ方式の各送信スロットに乗せるデータを記憶し、無線インタフェース部１４２への入力とする送信用バッファ、１４４は無線インタフェース部１４２からの出力を記憶する受信用バッファ、１４５はディジタル／アナログ変換，アナログ／ディジタル変換，トーン生成を行うＣＯＤＥＣ、１４６は通話のための音声入力手段であるマイク、１４７は音声出力手段であるスピーカ、１４８はＴＤＭＡ方式のスロット管理を行うスロット管理部、１５０は通話相手を選択するためのダイヤル入力部、１５１は無線電話子機１４０と通話を行うための内線通話ボタン、１５２は外線と通話を行うための外線通話ボタン、１４９はこれらを管理する制御部である。
【００１０】
図２１を用いて、上記に示す従来の無線電話装置における無線電話子機間通話シーケンスを説明する。まず、着信側の無線電話子機−１の使用者が内線通話ボタン１５１を押下して（Ｓ１２０）着信を待つ。発信側の無線電話子機−２が、内線通話ボタン１５１を押下し（Ｓ１２１）、内線番号をダイヤル入力部１５０にて押下すると（Ｓ１２２）、データリンク確立要求のメッセージを制御チャネル用のスロット（図２０ではスロット１）に書き込むと、無線インタフェース部１４２，アンテナ１４１を介して空気中に送出される（Ｓ１２３）。着信側の無線電話子機−１のアンテナ１４１が制御チャネルのメッセージを受信し、無線インタフェース部１４２を経て受信用バッファ１４４に書き込まれ、制御部１４９で処理される。データリンク確立要求を受けた制御部１４９は、データリンク確立応答のメッセージを送信用バッファ１４３の制御用チャネルのスロット（図２０ではスロット１）に書き込み、無線電話子機−２に送信する（Ｓ１２４）。これらのシーケンスにより２つの無線電話子機間のデータリンクが確立する。次に、無線電話子機−２は、Ｓ１２２にて押下された発信先内線番号と、子機間通話使用のスロット番号の情報を含む発呼メッセージを制御チャネル上で、無線電話子機−１に送信する（Ｓ１２５）。
【００１１】
このとき、発呼メッセージに記入したスロット番号に相当するスロット管理部１４８のスロット使用方法の欄に無線電話子機間通話の情報を書き込む。無線電話子機−１の制御部１４９は発呼のメッセージを受信すると、そのメッセージ内の発信先内線番号が自分の内線番号であれば、同期メッセージを制御チャネル上で送信する（Ｓ１２６）。このとき、発呼メッセージ内のスロット番号に相当するスロット管理部１４８のスロット使用方法の欄に無線電話子機間通話の情報を書き込む。無線電話子機−２は、同期メッセージを受信すると、リングバックトーンをＣＯＤＥＣ１４５からスピーカ１４７に送出し（Ｓ１２８）、同期メッセージを制御チャネル上で送信する（Ｓ１２７）。同期メッセージを受信した無線電話子機−１は、リンギングを開始し（Ｓ１２９）、着信があることを使用者に伝える。無線電話子機−１の使用者が、内線通話ボタン１５１を押下すると（Ｓ１３０）、リンギングを停止し（Ｓ１３１）、応答メッセージを制御チャネル上で無線電話子機−２に送信する（Ｓ１３２）。応答を受けた無線電話子機−２は、リングバックトーンを停止し（Ｓ１３３）、同期メッセージを通話チャネル上で送信する（Ｓ１３４）。通話チャネル上で同期メッセージを受信した無線電話子機−１は、通話チャネル上で同期メッセージを無線電話子機−２に送信し（Ｓ１３５）、通話中へ移行する（Ｓ１３６）。無線電話子機−２は通話チャネル上で同期メッセージを受信すると通話中へ移行する（Ｓ１３６）。
【００１２】
このとき、無線電話子機の制御部１４９は、スロット管理部１４８の情報を検索すると子機間通話となっており、以下の送受信の切り替え処理を行う。マイク１４６より入力された音声信号はＣＯＤＥＣ１４５を通じて送信用バッファ１４３へ送られ、無線インタフェース部１４２，アンテナ１４１を介して、相手無線電話子機に送信される。また、アンテナ１４１から受信された無線信号は，無線インタフェース部１４２，受信用バッファ１４４，ＣＯＤＥＣ１４５を介して、スピーカ１４７へ送られる。
【００１３】
次に、図２２を用いて、従来の無線電話子機の外線発信，通話シーケンスを説明する。まず、無線電話子機使用者が、外線通話ボタン１５２を押下し（Ｓ１４１）、外線番号をダイヤル入力部１５０にて押下すると（Ｓ１４２）、データリンク確立要求のメッセージを制御チャネル用のスロット（図２０ではスロット１）に書き込むと、無線インタフェース部１４２，アンテナ１４１を介して空気中に送出される（Ｓ１４３）。無線電話親機のアンテナ１３１が制御チャネルのメッセージを受信すると、無線インタフェース部１３２を経て受信用バッファ１３４に書き込まれ、制御部１３９で処理される。データリンク確立要求を受けた制御部１３９は、データリンク確立応答のメッセージを送信用バッファ１３３の制御用チャネルのスロット（図１９ではスロット１）に書き込み、無線電話子機に送信する（Ｓ１４４）。これらのシーケンスにより無線電話親機−子機間のデータリンクが確立する。次に、無線電話子機は、押下された外線番号を含む発呼メッセージを制御チャネル上で、無線電話親機に送信する（Ｓ１４５）。無線電話親機の制御部１３９は発呼のメッセージを受信すると、外線への発呼処理を行う（Ｓ１４６）。無線電話親機の制御部１３９は外線からの応答を検知すると（Ｓ１４８）、外線通話用のスロットを選択し、対応するスロット管理部１３８の選択されたスロット番号の使用方法の欄に外線通話の情報を書き込み、外線通話用のスロットの情報を含む応答のメッセージを無線電話子機に送信する（Ｓ１４７）。応答メッセージを受信した無線電話子機は、応答メッセージ内の外線通話用のスロット番号に対応するスロット管理部１４８のスロット番号の欄に外線通話の情報を書き込み、同期メッセージを通話チャネル上で送信する（Ｓ１４９）。同期メッセージを受信した無線電話親機は、同期メッセージを通話チャネル上で送信し（Ｓ１５０）、通話中へ移行する（Ｓ１５１）。無線電話子機は同期メッセージを通話チャネル上で受信すると通話状態へと移行する（Ｓ１５０）。
【００１４】
このとき、無線電話子機の制御部１４９は、スロット管理部１４８の情報を検索すると外線通話となっており、以下の送受信の切り替え処理を行う。マイク１４６より入力された音声信号はＣＯＤＥＣ１４５を通じて送信用バッファ１４３へ送られ、無線インタフェース部１４２，アンテナ１４１を介して、無線電話親機に送信される。また、アンテナ１４１から受信された無線信号は，無線インタフェース部１４２，受信用バッファ１４４，ＣＯＤＥＣ１４５を介して、スピーカ１４７へ送られる。また、無線電話親機の制御部１３９は、スロット管理部１３８の情報を検索すると、外線−子機通話となっており、以下の切り替え処理を行う。外線１３７より入力された音声信号は、外線インタフェース部１３６，ＣＯＤＥＣ１３５を通じて、送信用バッファ１３３へ送られ、無線インタフェース部１３２，アンテナ１３１を介して無線電話子機に送信される。また、アンテナ１３１から受信された無線信号は無線インタフェース部１３２，受信用バッファ１３４，ＣＯＤＥＣ１３５，外線インタフェース部１３６を介して外線１３７へ送られる。
【００１５】
さらに、無線電話装置システムの基地局と移動局の通信方法として、基地局を分散配置し、同一周波数帯域の繰り返し利用により収容できる移動局数を多くするマルチゾーン方式が採用されている。この方式ではサービスエリアを比較的狭いゾーンに区切って出力が低い電波で周波数を繰り返し利用するので、送信電力の低減や収容移動局数を多くとることができるといった長所があるが、ゾーン間を移動する移動局の位置を追跡し、通話を継続する技術が必要になり、様々な方法が実現されてきた。
【００１６】
図２３は従来の無線電話装置の基地局および移動局の構成例を示すものである。基地局１６２には自己の識別コードが書き込まれた基地局ＩＤ記憶部１６７が設けられている。移動局１６１が発信する場合には、第１の制御部１６８は基地局ＩＤ記憶部１６６に記憶されている基地局ＩＤと音声を基地局間無線インタフェース１６９を介して送信する。移動局間無線インタフェース１７０を介して識別コードを受信した基地局１６２では、第２の制御部１７２によって、受信した基地局ＩＤと基地局ＩＤ記憶部１６７に記憶されている識別コードを比較し、この両者が一致したことを検出して内線１８４を通して通話することができる。
【００１７】
移動局１６１が着信する場合には、基地局１６２は、移動局１６１が自己の無線ゾーン内に位置しているかどうかを把握しておく必要がある。無線ゾーンとは、基地局１６２の電波が正常に届いて移動局１６１と正常に通信可能な範囲である。基地局１６２は次のように動作する。基地局１６２には移動局１６１が自己の無線ゾーン内に位置することを示す移動局ＩＤの管理テーブルを有した位置登録管理部１７５が設けられており、着信時に基地局１６２は位置登録管理部１７５の情報により移動局１６１が無線ゾーン内に位置しているか確認して、内線１８４を接続する。具体的には、第２の制御部１７２は無線ゾーン内に移動局１６１が存在していることを位置登録管理部１７５の情報から確認すると、移動局ＩＤ記憶部１７４に書き込まれている移動局ＩＤと音声を移動局間無線インタフェース１７０を介して送信する。基地局間無線インタフェース１６９を介して識別コードを受信した移動局１６１では、第１の制御部１６８によって受信した移動局ＩＤと移動局ＩＤ記憶部１７３に記憶されている識別コードとを比較し、この両者が一致したことを検出して移動局１６１と通話できる。
【００１８】
このような構成で移動局１６１が基地局１６２の無線ゾーン（以下、第１無線ゾーンという）から第１無線ゾーンに隣接する他の無線ゾーンへ通話中に移動する場合を考える。この場合、移動局１６１の第１の制御部１６８は基地局間無線インタフェース１６９から受信される電波状態の劣化によってハンドオフ要求を基地局１６２へ送出する。基地局１６２は制御装置（図示せず）へ有線接続された内線１８４で移動局１６１からのハンドオフ要求を送出する。制御装置は基地局１６２の周辺基地局へ移動局１６１との電波状態を受信させ、また空きチャネル状態を調べる。制御装置は、周辺基地局より受信した電波状態が規定値以上であり、かつ周辺基地局に空きチャネルがあれば、そのチャネル番号と周辺基地局への識別コードを基地局１６２を介して移動局１６１へ送信し、移動局１６１は受信したチャネルに切り替えて周辺基地局を通して通話を継続する。
【００１９】
【発明が解決しようとする課題】
（１）  しかしながら、図１６で説明した従来の無線電話装置では、ゾーン外にいる無線電話子機から外線への通話が不可能であり、通話が必要なときには必ず無線電話親機のゾーン内に移動する必要があり、緊急時等、大変不便であった。
【００２０】
本発明は上記問題を解決するものであり、ゾーン外の無線電話子機からの外線発信をゾーン内にいる無線電話子機を中継して行うことができる無線電話装置を提供することを目的とするものである。
【００２１】
（２）  さらに、従来の無線電話装置では、移動局が通話中に基地局の無線ゾーンからゾーン移動によって離れると通話品質を確保することができず、通話が切断されてしまうという問題を有していた。
【００２２】
本発明は、上記問題を解決するものであり、移動局が基地局の無線ゾーンから離れても通話品質を確保することのできる無線電話装置を提供することを目的とするものである。
【００２３】
【課題を解決するための手段】
（１）  本発明は上記「発明が解決しようとする課題」の第（１）項で述べた目的を達成するために、従来の無線電話子機に、受信用バッファの通話チャネルのディジタルデータを送信用バッファに設定する機能を有する通話路スイッチを付加し、スロット管理部に相手通話スロット番号を記憶する領域を設け、スロット−相手管理部としたものである。
【００２５】
そして、上記の本発明により、（１）  無線電話親機の通話可能範囲内にある無線電話子機の通話路スイッチによって他の無線電話子機と無線電話親機との間の通話路を形成するので、外線発呼しようとする無線電話子機が無線電話親機からの通話可能範囲（ゾーン）外にあるときに、一旦、ゾーン内にいる他の無線電話子機と通話し、後に外線発信を行い、ゾーン内の無線電話子機を中継機として、外線通話が可能となる。また通話路スイッチは、受信用バッファに書き込まれているデータを一定周期ごとにスロット−相手管理部の各スロットの相手スロット番号を参照し、対応するスロット番号の送信用バッファに書き込むことにより、ゾーン外にいる無線電話子機の使用者が外線へ発信することが可能である。
【００２７】
【発明の実施の形態】
以下、本発明の実施形態（実施例）について、図面を参照しながら説明する。
【００２８】
図１は本第１の発明の一実施例における無線電話装置の構成を示すブロック図である。図１において、１１は無線電話装置に収容される第１の子機、１２は第１の子機１１の主制御を行うマイクロプロセッサ等により構成される子機制御手段、１３は、音声データおよび制御データの変復調を行い、後述する第２の子機２６とのデータの送受信を行う子機インタフェース手段、１４は、音声データおよび制御データの変復調を行い、後述する第１の接続装置２７とのデータの送受信を行う接続装置インタフェース手段、１５は制御チャネルにおいて子機どうしあるいは接続装置と制御データの通信を行う制御チャネル通信手段、１６は通話チャネルにおいて子機どうしあるいは接続装置と音声データの通信を行う通話チャネル通信手段、１７は電話番号入力のためのプッシュボタンやその他の機能を有するボタンおよびスイッチ等で構成される操作手段、１８は動作状態および操作方法等を表示する表示手段、１９は動作状態を通話者に通知するためのトーン発生手段、２０は発呼時または通話時に前記制御チャネル通信手段１５で受信される受信データの通信エラーレートの検出を行うエラーレート検出手段、２１は発呼時または通話時に前記制御チャネル通信手段１５からの送信データに対する相手側子機または接続装置からの応答時間を管理するタイマ管理手段、２２は前記無線電話装置に収容されるすべての子機およびすべての接続装置の識別コードを記憶する識別コード記憶手段（ここでは、説明を簡易化するために、子機に与えられているＩＤコードと内線番号とは同一のものとする）、２３は発呼者から入力された呼び出し先の内線番号を一時記憶する通話先内線番号記憶手段、２４は受信音声信号および送信音声信号を処理する音声インタフェース手段、２５は後述する第２の子機２６および第１の接続装置２７と電波の送受信を行うアンテナ、２６は第１の子機１１と同様の構成をとる第２の子機、２７は、内線通話および外線通話の際、無線部において子機とのインタフェースをとる第１の接続装置、２８は第１の接続装置２７と同様の構成をとる第２の接続装置、２９は無線電話装置において呼制御，通話路の接続／開放等の制御をつかさどる制御装置、３０は制御装置２９の制御を行うマイクロプロセッサ等により構成される主制御手段、３１は、内線通話および外線通話の際、通話路の接続／開放を行う通話路スイッチ、３２は制御データおよび音声データの多重／分離等を行い、第１の接続装置２７および第２の接続装置２８とのインタフェースをとる接続装置インタフェース手段である。
【００２９】
ここで無線電話装置において、すべての子機およびすべての接続装置にはＩＤコードがあり、本実施例においては、第１の子機１１には“００１”、第２の子機２６には“００２”、第１の接続装置２７には“００３”、第２の接続装置２８には“００４”というＩＤコードが与えられているものとする。そして、第１の子機１１は第１の接続装置２７と電波の送受信が行えるゾーンに位置し、第２の子機２６は第２の接続装置２８と電波の送受信が行えるゾーンに位置しているものとする。
【００３０】
以上のように構成された無線電話装置について、以下、第１の子機１１から第２の子機２６に対して内線電話を行う場合についての説明を図１および図２に沿って行う。まず、発呼者は内線発呼を行うために、第１の子機１１内の操作手段１７に備えられた内線キー（図示せず）を押下する（Ｓ１１）。そのとき、子機制御手段１２は内線キーが押下されることにより子機インタフェース手段１３を起動状態にし、接続装置インタフェース手段１４を非起動状態にする（Ｓ１２）。次に、発呼者は被呼側である第２の子機２６の内線番号“００２”を押下する（Ｓ１３）。そのとき、押下された内線番号情報が通信先内線番号記憶手段２３に一時記憶される（Ｓ１４）。次に、内線番号を含む発呼データを送信するための発呼キー（図示せず）を押下する（Ｓ１５）。発呼キーが押下させることにより、前記内線番号情報を含む発呼信号が制御チャネル通信手段１５から子機インタフェース手段１３を介し、制御チャネルへ発信される（Ｓ１６）。このとき、発呼信号が発信されると同時に、応答信号のエラーレートを検出するエラーレート検出手段２０と、タイマ管理手段２１が起動する（Ｓ１７）。このとき第１の子機１１と第２の子機２６が電波の強度において十分通信できる範囲内に位置している場合、第２の子機２６から正常な応答信号が返ってくるので（Ｓ１８，Ｓ１９）、直接子機どうしの内線通話が可能であると判断し、有線部の通話路を使用しない子機どうしの通話ができる（Ｓ２０）。
【００３１】
しかし、第１の子機１１と第２の子機２６が電波の強度において、十分通信できる範囲内に位置しておらず、応答信号が規定時間内に返ってこない場合（Ｓ１８のＮＯ）、タイマ管理手段２１によってタイムアウトが発生し（Ｓ２１）、子機制御手段１２は子機インタフェース手段１３から接続装置インタフェース手段１４へと発呼信号の発信を切り替えることで（Ｓ２２）、有線部の通話路を使用した通話経路による内線発呼に切り替えられる。また、応答信号が返ってきても電波の強度が弱く、ノイズ等の原因でエラーレート検出手段２０により規定値以上のエラーレートが検出された場合（Ｓ１９のＹＥＳ）も同時に、子機制御手段１２は子機インタフェース手段１３から接続装置インタフェース手段１４へと発呼信号の発信を切り替えることで（Ｓ２２）、有線部の通話路を使用した通話経路による内線発呼に切り替えられる。子機制御手段１２により起動状態となった接続装置インタフェース手段１４は、新たにＩＤコードを含む発呼信号を第１の接続装置２７に対して送出する（Ｓ２３）。発呼信号を受信した第１の接続装置２７はＩＤコードを確認し、第１の子機１１に対しＩＤコードを含んだ応答信号を返送する。この後、第１の子機１１は空き通話チャネルを捕捉した後（Ｓ２４）、前記通信先内線番号記憶手段２３と識別コード記憶手段２２によって割り出された被呼側である第３の子機２６のダイヤル情報を送出する（Ｓ２５）。その後、制御装置２９内の主制御手段３０は通話路スイッチ３１の接続を行うことによって通話路が形成され、有線部を介した通話経路での通話が可能となる（Ｓ２６）。
【００３２】
次に、直接子機間通話中に第１の子機１１と第２の子機２６が互いに遠ざかる方向に移動し、直接子機間通話できる範囲を越えてしまうときの動作の説明を図１および図３に沿って行う。直接子機間通話中（Ｓ２８）、第１の子機１１および第２の子機２６は通話チャネル通信手段１６によって子機インタフェース手段１３を介し音声データの通信を行っている。それと同時に、制御チャネル通信手段１５によって定期的に制御データの発信を行う（Ｓ２９）、このとき、エラーレート検出手段２０およびタイマ管理手段２１は前記制御データを監視しており（Ｓ３０，Ｓ３１）、正常な応答信号がある場合は直接子機間通話を継続するが（Ｓ３２）、もし子機どうしが直接子機間通話できる範囲の境界付近に位置し、規定値以上のエラーレートが検出されたり、一定時間以内に応答信号が返ってこない場合は、子機制御手段１２は接続装置インタフェース手段１４を起動し（Ｓ３３）、制御データの発信先を第１の接続装置２７または第２の接続装置２８へと切り替える（Ｓ３４）。その後、制御チャネルによって、第１の子機１１と第１の接続装置２７、および第２の子機２６と第２の接続装置２８との間で、有線部の通話路を使用した内線通話を行うための手続きを行う（Ｓ３５）。そのとき、第１の子機１１および第２の子機２６は表示手段１８およびトーン発生手段１９によって、その旨をユーザに通知する（Ｓ３６）。その後、制御装置２９内の主制御手段３０は、第１の子機１１および第２の子機２６に空き通話チャネルを通知し、同時に切り替えることで直接子機間通話から有線部の通話路を使用した内線通話へと通話が途切れることなく切り替えることができる（Ｓ３７）。
【００３３】
次に、有線部の通話路を使用した内線通話中に第１の子機１１と第２の子機２６が互いに近づく方向に移動し、直接子機間通話できる範囲内に位置したときの動作の説明を図１および図４に沿って行う。有線部の通話路を使用した内線通話中（Ｓ４０）、第１の子機１１および第２の子機２６は通話チャネル通信手段１６によって接続装置インタフェース手段１４を介し第１の接続装置２７および第２の接続装置２８と音声データの通信を行っている。それと同時に、制御チャネル通信手段１５は子機インタフェース手段１３を介し、定期的に制御データを相手側子機に対し発信する（Ｓ４１）。このとき、エラーレート検出手段２０およびタイマ管理手段２１は前記制御データを監視しており（Ｓ４２，Ｓ４３）、第１の子機１１と第２の子機２６が直接子機間通話できる範囲に位置していない場合は、一定時間以内に応答信号が返ってこないか、または規定値以上のエラーレートが検出されるので、前述した通り、音声データは有線部の通話路を経由して送受信される（Ｓ４４）。もし子機どうしが互いに近づく方向に移動し、直接子機間通話ができる範囲内に位置した場合、制御データに対する応答信号が検出され、その後、エラーレートが規定値未満になる。このとき、子機制御手段１２は制御データの発信先を子機インタフェース手段１３から接続装置インタフェース手段１４へと切り替え（Ｓ４５）、第１の子機１１と第１の接続装置２７、および第２の子機２６と第２の接続装置２８との間で、直接子機間通話を行うための手続きを行う（Ｓ４６）。そのとき、第１の子機１１および第２の子機２６は表示手段１８およびトーン発生手段１９によって、その旨をユーザに通知する（Ｓ４７）。その後、制御装置２９内の主制御手段３０は、第１の子機１１および第２の子機２６が直接子機間通話を行うための制御データを同時に送信することで、有線部の通話路を使用した内線通話から直接子機間通話へと通話が途切れることなく切り替えることができる（Ｓ４８）。
【００３４】
上述した動作を行うことによって、第１の接続装置２７および第２の接続装置２８の範囲内であれば、内線通話中にユーザがどこへ移動しても通話が途切れることなく内線通話が行え、また、有線部において無駄な通話路の使用が削減でき、外線発呼等で必ず有線部の通話路を使用しなければならないユーザに通話路を開放することができる。
【００３５】
次に、本第２の発明の実施例について図面を参照しながら説明する。図５は本第２の発明の実施例における無線電話装置の構成を示すブロック図である。図５において、１１および２６は無線電話装置に収容される子機、１２は第１の子機１１の主制御を行うマイクロプロセッサ等により構成される子機制御手段、１３は、音声データおよび制御データの変復調を行い、後述する第２の子機２６とのデータの送受信を行う子機インタフェース手段、１４は、音声データおよび制御データの変復調を行い、後述する接続装置３３，３４，３５とのデータの送受信を行う接続装置インタフェース手段、１５は制御チャネルにおいて子機どうしあるいは接続装置と制御データの通信を行う制御チャネル通信手段、１６は通話チャネルにおいて子機どうしあるいは接続装置と音声データの通信を行う通話チャネル通信手段、１７は電話番号入力のためのプッシュボタンやその他の機能を有するボタンおよびスイッチ等で構成される操作手段、１８は動作状態および操作方法等を表示する表示手段、１９は動作状態を通話者に通知するためのトーン発生手段、２０は発呼時または通話時に前記制御チャネル通信手段１５で受信される受信データの通信エラーレートの検出を行うエラーレート検出手段、２１は発呼時または通話時に前記制御チャネル通信手段１５からの送信データに対する相手側子機または接続装置からの応答時間を管理するタイマ管理手段、２２は前記無線電話装置に収容されるすべての子機およびすべての接続装置の識別コードを記憶する識別コード記憶手段、２３は発呼者から入力された呼び出し先の内線番号を一時記憶する通話先内線番号記憶手段、２４は受信音声信号および送信音声信号を処理する音声インタフェース手段、２５は子機１１，２６間および接続装置３３，３４，３５と電波の送受信を行うアンテナ、３３，３４，３５は、内線通話および外線通話の際、無線部において子機とのインタフェースをとる接続装置、３６は無線電話装置において呼制御，通話路の接続／開放等の制御をつかさどる制御装置、３７は制御装置３６の制御を行うマイクロプロセッサ等により構成される主制御手段、３８は、内線通話および外線通話の際、通話路の接続／開放を行う通話路スイッチ、３９は、制御データおよび音声データの多重／分離等を行い、接続装置３３，３４，３５とのインタフェースをとる接続装置インタフェース手段、４０は無線電話装置に収容されているすべての子機の位置を検出する位置検出手段である。ここで、無線電話装置において、すべての子機およびすべての接続装置には、ＩＤコードがあり、本実施例においては、第１の子機１１には“００１”、第２の子機２６には“００２”、接続装置３３には“００３”、接続装置３４には“００４”、接続装置３５には“００５”というＩＤコードが与えられているものとする。また、図６に示すように、接続装置３３はゾーン１、接続装置３４はゾーン２、接続装置３５はゾーン３において、子機と無線通信ができるものとする。
【００３６】
以上のように構成された無線電話装置について、内線通話中における無線電話装置の動作の説明を図５，図６および図７に沿って行う。ここで子機の位置関係によって形成される通話経路の種類についての説明を行う。第１の子機１１がゾーン１、第２の子機２６がゾーン３に位置している場合、互いの子機間の距離は遠距離であるため、必ず有線部の通話路を使用した通話経路でしか内線通話ができない。第１の子機１１と第２の子機２６が同じゾーンに位置している場合、直接子機間通話できる位置関係にあるときと、直接子機間通話できない位置関係にあるときとがある。例えば、第１の子機１１がポイント１、第２の子機２６がポイント２に位置しているときは、子機間の距離は近距離なので直接子機間通話ができるが、第１の子機１１がポイント１、第２の子機２６がポイント３に位置しているときは、子機間の距離は遠距離なので直接子機間通話ができない。また、第１の子機１１と第２の子機２６が隣接するゾーンに位置している場合も、直接子機間通話できる位置関係にあるときと、直接子機間通話できない位置関係にあるときがある。例えば、第１の子機１１がポイント３、第２の子機２６がポイント４に位置しているときは、子機間の距離は近距離なので直接子機間通話ができるが、第１の子機１１がポイント１、第２の子機２６がポイント４に位置しているときは、子機間の距離が遠距離であるので直接子機間通話ができない。
【００３７】
次に、上述した子機の位置関係によって形成される通話経路の種類を踏まえて、以下、無線電話装置の動作の説明を行う。第１の子機１１と第２の子機２６が有線部の通話路を使用した通話経路で内線通話を行っている場合（Ｓ５０）、子機１１，２６は通話チャネル通信手段１６によって接続装置インタフェース手段１４を介し接続装置３３，３４，３５のいずれかと音声データの通信を行っている（Ｓ５１）。このとき、制御装置３６内の位置検出手段４０は、子機１１，２６がどの接続装置のゾーンに位置しているかということを検出している。
【００３８】
もし、第１の子機１１と第２の子機２６が同じゾーンに位置しているか、または隣接するゾーンに位置している場合は、前述したように直接子機間通話できる可能性があるので、制御装置３６はその旨を示す制御データを制御チャネルを通じ、子機１１，２６に通知する。通知を受けた子機１１，２６は（Ｓ５２）、制御チャネル通信手段１５によって子機インタフェース手段１３を介し、定期的に制御データを相手側子機に対し発信を開始する（Ｓ５３）と同時に、エラーレート検出手段２０およびタイマ管理手段２１の動作を開始する（Ｓ５４）。このとき、エラーレート検出手段２０およびタイマ管理手段２１は、前記制御データを監視しており（Ｓ５５，Ｓ５６）、第１の子機１１と第２の子機２６が直接子機間通話できる範囲に位置していない場合は、一定時間以上応答信号が返ってこないか、または規定値以上のエラーレートが検出されるので通話経路は切り替えることなく、音声データは有線部の通話路を経由して送受信される（Ｓ５１）。もし、このとき、子機どうしが互いに近づく方向に移動し直接子機間通話できる範囲内に位置したならば、制御データに対する応答信号が検出され、その後、エラーレートが規定値未満になる（Ｓ５５のＹＥＳ，Ｓ５６−規定値未満）。このとき、子機制御手段１２は性でたの発信先を子機インタフェース手段１３から接続装置インタフェース手段１４へと切り替え（Ｓ５７）、子機１１，２６と接続装置３３，３４，３５との間で直接子機間通話を行うための手続きを行う（Ｓ５８）。そのとき、子機１１，２６は表示手段１８およびトーン発生手段１９によって、その旨をユーザに通知する（Ｓ５９）。その後、制御装置３６内の主制御手段３７は、子機１１，２６が直接子機間通話を行うための制御データを同時に送信することで、有線部の通話路を使用した内線通話から直接子機間通話へと通話が途切れることなく切り替えられ直接子機間通話ができる（Ｓ６０，Ｓ６１）。
【００３９】
また、第１の子機１１と第２の子機２６が互いに遠ざかる方向へ移動し、同じゾーンか、または隣接するゾーンでない場所に位置した場合は、直接子機間通話できる可能性はないので、制御装置３６はその旨を示す制御データを制御チャネルを通じ、子機１１，２６に通知する。通知を受けた子機１１，２６は（Ｓ５２）、制御チャネル通信手段１５による相手側子機に対する定期的な制御データの発信を停止させる（Ｓ６２）とともに、エラーレート検出手段２０とタイマ管理手段２１も動作を停止させる（Ｓ６３）。よって、接続装置３３，３４，３５の範囲内であれば、内線通話中にユーザがどこへ移動しても通話が途切れることなく適切な通話経路で内線通話が行えるとともに、直接子機間通話できる可能性がないときは、通話経路切り替えの手続きをとるための動作を停止させるので、子機の省消費電力化が図れる。なお、内線発呼時の動作においては、従来と全く同じである。
【００４０】
次に、第３の発明の実施例について図面を参照して説明する。図８は本第３の発明の無線電話親機の構成図であり、図９は無線電話子機の構成を示すものである。図８，９において、４１は無線電話親機、４２は無線信号を空気中へ送信したり空気中から受信する機能を有するアンテナ、４３は、ＴＤＭＡ方式を用いて通話チャネルと制御チャネルのディジタル信号を無線信号へ変換したり、逆に無線信号をディジタル信号に変換する機能を有する無線インタフェース部、４４は、ＴＤＭＡ方式の各送信スロットに乗せるデータを記憶し、無線インタフェース部４３への入力とする送信用バッファ、４６は無線インタフェース部４３からの出力を記憶する受信用バッファ、４６はディジタル／アナログ変換およびアナログ／ディジタル変換を行うＣＯＤＥＣ、４７は外線とのインタフェースをとる外線インタフェース部、４８は外線、４９はＴＤＭＡ方式のスロット管理を行うスロット管理部、５０はこれらを管理する制御部である。
【００４１】
５１は無線電話子機、５２は無線信号を空気中へ送信したり空気中から受信する機能を有するアンテナ、５３は、ＴＤＭＡ方式を用いて通話チャネルと制御チャネルのディジタル信号を無線信号へ変換したり、逆に無線信号をディジタル信号に変換する機能を有する無線インタフェース部、５４は、ＴＤＭＡ方式の各送信スロットに乗せるデータを記憶し、無線インタフェース部５３への入力とする送信用バッファ、５５は無線インタフェース部５３からの出力を記憶する受信用バッファ、５６は時分割で入力ディジタル信号を出力ディジタル信号に切り替える通話路スイッチ、５７は、ディジタル／アナログ変換，アナログ／ディジタル変換，トーン生成を行うＣＯＤＥＣ、５８は通話のための音声入力手段であるマイク、５９は音声出力手段であるスピーカ、６０はＴＤＭＡ方式のスロット管理と通話相手スロット番号を記憶するスロット−相手管理部、６２は通話相手を選択するためのダイヤル入力部、６３は無線電話子機５１と通話を行うための内線通話ボタン、６４は外線と通話を行うための外線通話ボタン、６１はこれらを管理する制御部である。
【００４２】
以下に図１０を用いて、本第３の発明の一実施例の無線電話装置におけるゾーン外の無線電話子機からの外線発信・外線通話の方法を説明する。従来の技術で記述した方法にて、無線電話子機間の通話を設定する（Ｓ７０）。ゾーン外の無線電話子機−１が外線通話ボタン６４を押下し（Ｓ７１）、ダイヤル入力部６２にて外線発信の番号を押下する（Ｓ７２）。完了すると、外線番号の情報を含む外線発呼要求のメッセージを制御チャネルを通じて、ゾーン内にいる無線電話子機−２に送信する（Ｓ７３）。外線発呼要求を受信した無線電話子機−２は、制御チャネルを通じてデータリンク確立要求を制御チャネルを通じて、従来の技術と同様にして、送信用バッファ５４，無線インタフェース部５３，アンテナ５２を用いて、無線電話親機４１に送信する（Ｓ７４）。無線電話親機４１は、受信メッセージを従来の技術と同様に、アンテナ４２，無線インタフェース部４３，受信用バッファ４５を用いて、制御部５０に渡す。データリンク確立要求を受信した無線電話親機は、データリンク確立応答メッセージを送信用バッファ４４，無線インタフェース部４３、アンテナ４２を用いて、制御チャネル上で無線電話子機−２に送信する（Ｓ７５）。無線電話子機−２では、アンテナ５２，無線インタフェース部５３，受信用バッファ５５を用いて、受信されたデータリンク確立応答メッセージは、無線電話子機−２の制御部６１に渡されると、外線発呼要求にて受信していた外線番号を含めて発呼メッセージを無線電話親機に制御チャネルを用いて送信する（Ｓ７６）。発呼メッセージを受信した無線電話親機は、外線発呼処理を行う（Ｓ７７）。無線電話親機は外線より応答を受けると、外線通話用のスロット番号を含む応答メッセージを無線電話子機−２に送信する（Ｓ７８）。このとき、無線電話親機の制御部５０は、無線電話子機間で使用するスロット管理部のスロット番号に対する欄に、子機間通話の情報を書き込む。応答メッセージを受信した無線電話子機−２は、通知された外線通話用スロットのスロット−相手管理部６０の対応するスロットの使用方法の欄に外線通話と記入し、指定されたスロット上で同期メッセージを無線電話親機に送信する（Ｓ８０）。
【００４３】
このとき、無線電話子機−２の制御部６１は、スロット−相手管理部６０の子機間通話に使用するスロット番号の相手スロット番号の欄に外線通話で使用するスロット番号を記入し、外線通話に使用するスロット番号の相手スロット番号の欄に子機間通話で使用するスロット番号を記入する。通話チャネル上で、同期メッセージを受信した無線電話親機は、同期メッセージを通話チャネル上に送信し（Ｓ８１）、通話中へと移行する（Ｓ８３）。同期メッセージを受信した無線電話子機−２は、無線電話子機−１に外線発呼応答を制御チャネル上で通知する（Ｓ８２）。この時点から、無線電話子機−２の通話路スイッチ５６は、無線電話子機間通話で、マイク５８と送信用バッファ５４，受信用バッファ５５とスピーカ５９を接続していたものを、スロット−相手管理部６０のスロット番号の送信用バッファには相手スロット番号の受信用バッファ５５を、受信用バッファ５５には、相手スロット番号の送信用バッファ５４を接続する。外線発呼応答を受信した無線電話子機−１は、この時点で外線通話中となっている（Ｓ８３）。
【００４４】
以下、本第４の発明の実施例について図面を参照しながら説明する。図１１は本第４の発明の実施例における無線電話装置の構成を示すブロック図である。図１１において、移動局７０に設けられている第１の制御部７７には、移動局７０が移動局間で送受信を行うための移動局間無線インタフェース８０と、移動局間無線インタフェース８０に接続されているアンテナ７３と、中継元の移動局のＩＤを格納する中継元移動局ＩＤ記憶部８５が追加接続されている点が、従来の移動局とは異なる。また、基地局７１には、通話中である移動局と中継移動局のＩＤを変換する移動局ＩＤ変換部９２が従来の基地局に追加接続されている。
【００４５】
以上のように構成された本発明の無線電話装置の中継処理を図１２，図１３および図１４に示すフローチャートに基づいて説明する。図１２は通話中の移動局が基地局の無線ゾーンから離れたときの圏外通話を実行する場合の動作を示している。まず、移動局７０が通話中に基地局７１の無線ゾーンから離れてＳ８５で電解強度の劣化を検出しなければ、Ｓ８５を繰り返す。第１の制御部７７は電解強度の劣化を検出すると隣接基地局の無線ゾーン内の空き通信チャネルに切り替えできるかを基地局７１を介して、制御装置にハンドオフの要求を送出する（Ｓ８６）。ハンドオフが可能であればＳ８５以降を繰り返す。ハンドオフができないならば、第１の制御部７７は基地局間無線インタフェース７８より、中継局使用要求を基地局７１へ送出する（Ｓ８７）。次に、第１の制御部７７は、基地局間無線インタフェース７８から中継局接続可応答信号を受信することができなければ警告音を鳴らし（Ｓ８８，Ｓ８９）、通話が切断される旨を表示部９０に表示して、基地局７１との切断処理を行う（Ｓ９０）。中継局接続可応答信号を受信すれば中継移動局と通信を行うための切り替え先の制御チャネルおよび通信チャネル数を基地局７１より受信する（Ｓ９１）。次に第１の制御部７７は、基地局７１と無線接続しているチャネルとは別に、Ｓ９１で受信した切り替えチャネル数に移動局間インタフェース８０とアンテナ７３を介して中継移動局と無線リンクを張る（Ｓ９２）。無線リンクを張り終えると中継移動局と通話を再開する（Ｓ９３）。この状態で中継移動局が発信，着信を行うと、中継移動局から発信・着信情報を受信し（Ｓ９４）、第１の制御部７７は警告音を鳴らし（Ｓ９５）、通話が切断される旨を表示部９０に表示して、中継移動局との切断処理を行う（Ｓ９６）。発信・着信情報を受信しなければＳ９４を繰り返す。
【００４６】
図１３は基地局７１の無線ゾーン内において、受信待ち状態の移動局が中継処理を実行する場合の動作を示している。移動局７０が基地局７１の無線ゾーン内において、受信待ち状態であるとき、基地局７１より中継使用要求を受信すると（Ｓ９７）、第１の制御部７７は中継が不可能であるときは基地局７１に中継不可指示信号を送出する（Ｓ９８，Ｓ１０１）。中継可能であれば基地局７１に中継許可指示信号を送出し（Ｓ９９）、基地局７１より中継元移動局のＩＤを受信できなければＳ１０１を実施する。中継元移動局のＩＤを受信すると第１の制御部７７は、中継元移動局のＩＤを中継元移動局ＩＤ記憶部８５に記憶する（Ｓ１０２）。次に切り替え先の制御チャネルおよび通信チャネル数を基地局７１より受信し（Ｓ１０３）、第１の制御部７７は、基地局７１と無線接続しているチャネルとは別に、Ｓ１０３で受信した切り替えチャネル数に移動局間無線インタフェース８０とアンテナ７３を介して中継元移動局と無線リンクを張り（Ｓ１０４）、中継元移動局と基地局７１間で使用していた制御チャネルおよび通話チャネルに切り替えるために基地局７１と無線リンクを張る（Ｓ１０５）。無線リンクを張り終えると中継元移動局と基地局間の中継移動局として中継を開始する（Ｓ１０６）。中継中に基地局７１から中継移動局に着信があったときは、中継元移動局に対して中継移動局に着信を受信したことを知らせ（Ｓ１０８）、中継処理を終了し、中継移動局は中継処理に使用していた制御チャネルおよび通話チャネルをそのまま使用して、着信処理へ移行する。中継移動局が中継中に基地局７１に対して発信を行う場合で（Ｓ１０９）、中継元移動局へ中継移動局が基地局７１に対して発信することを知らせ、中継処理を終了し、中継移動局は中継処理に使用していた制御チャネルおよび通話チャネルをそのまま使用して、発信処理へ移行する（Ｓ１１０）。
【００４７】
図１４は基地局７１の無線ゾーン内において、中継移動局が中継処理を実行しているときの基地局７１側の中継接続の動作を示している。まず、第２の制御部８１は移動局より中継局使用要求を受信すると（Ｓ１１１）、第２の制御部８１は位置登録管理部８４に登録されている移動局より、基地局７１の無線ゾーン内の受信待ち移動局を選択し、制御チャネルで前記移動局の状態をモニタする（Ｓ１１２）。前記移動局が中継可能局でなければ中継処理は行わない（Ｓ１１３のＮＯ）。中継可能局であれば、前記移動局へ中継使用要求信号を送出する（Ｓ１１４）。前記移動局より中継許可信号を受信できなければ、中継処理を終了する（Ｓ１１５のＮＯ）。中継許可信号を受信したならば、第２の制御部８１は、中継局使用要求を送信した移動局に対して中継局接続許可応答を送信する（Ｓ１１６）。また第２の制御部８１は、中継移動局に対して中継元移動局ＩＤを送信し（Ｓ１１７）、中継移動局に基地局７１と中継元移動局と通信を行うための切り替え先の制御チャネルおよび通信チャネル数をそれぞれ送信する（Ｓ１１８）。Ｓ１１８で中継移動局に送信した中継移動局と中継元移動局間の通信を行う制御チャネルと通信チャネル数を中継元移動局に送信する（Ｓ１１９）。次に、第２の制御部８１は中継移動局と無線リンクを張る（Ｓ１２０）。ただし、無線リンクを張る場合は、中継移動局と基地局７１間の制御での移動局ＩＤは中継移動局のＩＤが使用されるが、基地局７１の通信部９１から内線を通して移動局のＩＤのやり取りがなされる場合には、移動局ＩＤ変換部９２にて中継移動局のＩＤを中継元移動局のＩＤに変換して通信部９１より送出される（Ｓ１２１）。逆に、通信部９１より受信される場合には、移動局ＩＤ変換部９２で中継元移動局のＩＤを中継移動局ＩＤに変換する。Ｓ１２１でＩＤ変換がなされると、中継移動局と中継を開始する（Ｓ１２２）。Ｓ１２２の通話再開中に中継移動局に着信が発生したとき（Ｓ１２３）、中継移動局に着信信号を送出する（Ｓ１２４）。次に、基地局７１と中継元移動局間の呼の切断処理を行う（Ｓ１２５）。また、Ｓ１２６で中継移動局と通話再開時に中継移動局から発信信号を受信したとき、Ｓ１２５の処理を行い中継処理を終了する。
【００４８】
以上のように構成された本発明の無線電話装置の概略構成図を図１５に示す。図１５のように移動局９６が通話中に基地局８４の無線ゾーン９７から離れても、基地局９４の無線ゾーン９７内に中継局となり得る受信待ちの中継移動局９５が存在し、移動局９６が中継移動局９５の無線ゾーン９８内に存在すれば、通話が切断されることなく通信することが可能となる。９９は制御装置（図示せず）と基地局９４を有線で切断する内線である。
【００４９】
【発明の効果】
以上説明したように、請求項１〜３に係る発明は、ゾーン外にいる無線電話子機の使用者が、ゾーン内にある無線電話子機を用いて外線発信することが可能となり、ゾーン外の使用者がゾーン内に移動することなく外線発信を行うことができ、無線電話装置のサービス性の向上を図ることができる等の効果を有する。
【図面の簡単な説明】
【図１】第１の発明の実施例における無線電話装置の構成図である。
【図２】第１の発明の実施例における無線電話装置の子機制御手段の内線発呼処理を示すフローチャートである。
【図３】第１の発明の実施例における無線電話装置の子機制御手段の直接子機間通話から有線部の通話路を使用した内線通話への切り替え処理を示すフローチャートである。
【図４】第１の発明の実施例における無線電話装置の子機制御手段の有線部の通話路を使用した内線通話から直接子機間通話への切り替え処理を示すフローチャートである。
【図５】第２の発明の実施例における無線電話装置の構成図である。
【図６】第２の発明の実施例における無線電話装置の接続装置のゾーン関係図である。
【図７】第２の発明の実施例における無線電話装置の子機制御手段の子機通話路切り替えのフローチャートである。
【図８】第３の発明の実施例における無線電話親機の構成図である。
【図９】第３の発明の実施例における無線電話子機の構成図である。
【図１０】第３の発明の実施例におけるゾーン外無線電話子機の外線発信・通話シーケンスである。
【図１１】第４の発明の実施例における無線電話装置の構成を示すブロック図である。
【図１２】第４の発明の実施例における移動局の圏外通話手段を示すフローチャートである。
【図１３】第４の発明の実施例における移動局の中継手段を示すフローチャートである。
【図１４】第４の発明の実施例における基地局の中継局接続手段を示すフローチャートである。
【図１５】第４の発明の実施例における無線電話システムの概略構成図である。
【図１６】第１の発明における従来の無線電話装置の構成図である。
【図１７】第１の発明における従来の無線電話装置の子機制御手段の子機内線発呼処理を示すフローチャートである。
【図１８】第３の発明におけるＴＤＭＡ方式の無線システムのスロットの構成例である。
【図１９】第３の発明における従来の無線電話親機の構成図である。
【図２０】第３の発明における従来の無線電話子機の構成図である。
【図２１】第３の発明における従来の無線電話親機の無線電話子機間通話シーケンスである。
【図２２】第３の発明における従来の無線電話子機の外線発信・通話シーケンスである。
【図２３】第４の発明における従来の無線電話装置の構成を示すブロック図である。
【符号の説明】
１１，１０１…第１の子機、  １２，１０２…子機制御手段、  １３…子機インタフェース手段、  １４…接続装置インタフェース手段、  １５…制御チャネル通信手段、  １６…通話チャネル通信手段、  １７，１０５…操作手段、  １８…表示手段、  １９…トーン発生手段、  ２０，１０６…エラーレート検出手段、  ２１，１０７…タイマ管理手段、  ２２，１０８…識別コード記憶手段、  ２３…通話先内線番号記憶手段、  ２４，１１０…音声インタフェース手段、  ２５，４２，５２，７２，７３，７４，１１１，１３１，１４１，１６３，１６５…アンテナ、  ２６，１１２…第２の子機、  ２７…第１の接続装置、  ２８…第２の接続装置、  ２９，３６，１１５…制御装置、  ３０，３７，１１６…主制御装置、  ３１，３８，５６，１１７…通話路スイッチ、  ３２，３９，１１８…接続装置インタフェース手段、  ３３，３４，３５…接続装置、  ４０…位置検出手段、  ４１，１３０…無線電話親機、  ４３，５３，１３２，１４２…無線インタフェース部、  ４４，５４，１３３，１４３…送信用バッファ、  ４５，５５，１３４，１４４…受信用バッファ、  ４６，５７，１３５，１４５…ＣＯＤＥＣ、  ４７，１３６…外線インタフェース部、  ４８，１３７…外線、  ４９，１３８，１４８…スロット管理部、  ５０，６１，１３９，１４９…制御部、  ５１，１４０…無線電話子機、  ５８，１４６…マイク、  ５９，１４７…スピーカ、  ６０…スロット−相手管理部、  ６２，１５０…ダイヤル入力部、  ６３，１５１…内線通話ボタン、  ６４，１５２…外線通話ボタン、  ７０，１６１…移動局、  ７１，１６２…基地局、  ７５，７６，１６６，１６７…基地局ＩＤ記憶部、  ７７，１６８…第１の制御部、  ７８，１６９…基地局間無線インタフェース、  ７９，８０，１７０…移動局間無線インタフェース、  ８１，１７２…第２の制御部、  ８２，８３，１７３，１７４…移動局ＩＤ記憶部、  ８４，１７５…位置登録管理部、  ８５…中継元移動局ＩＤ記憶部、  ８６，１７７…操作部、  ８７，１７８…送話器、  ８８，１７９…受話器、  ８９，１８０…音声インタフェース、  ９０，１８１…表示部、  ９１，１８２…通信部、  ９２…移動局ＩＤ変換部、  ９３，１８４…内線。
【図１】
0003572411.tif 000002
【図２】
0003572411.tif 000003
【図３】
0003572411.tif 000004
【図４】
0003572411.tif 000005
【図５】
0003572411.tif 000006
【図６】
0003572411.tif 000007
【図７】
0003572411.tif 000008
【図８】
0003572411.tif 000009
【図９】
0003572411.tif 000010
【図１０】
0003572411.tif 000011
【図１１】
0003572411.tif 000012
【図１２】
0003572411.tif 000013
【図１３】
0003572411.tif 000014
【図１４】
0003572411.tif 000015
【図１５】
0003572411.tif 000016
【図１６】
0003572411.tif 000017
【図１７】
0003572411.tif 000018
【図１８】
0003572411.tif 000019
【図１９】
0003572411.tif 000020
【図２０】
0003572411.tif 000021
【図２１】
0003572411.tif 000022
【図２２】
0003572411.tif 000023
【図２３】
0003572411.tif 000024